(57)【要約】【課題】質感が良く、高級感があり、大人がこれを使用して遊べば、お洒落でカッコいい印象を抱かせることができ、作製し易くかつ確実に係合乃至は嵌合させて遊べる金属製の構築エレメント（ブロック）を提供する。【解決手段】上側表面２ａと、上側表面２ａに略平行な裏側表面２ｂと、上側表面２ａから下側表面２ｂに延在する複数の側面３ａ、３ｂ、４ａ、４ｂと、を有する金属製のブロック体で構成され、ブロック体の上側表面２ａには、略等間隔に並ぶ複数の略正六角柱形状の結合スタッド５が上側に配置され、ブロック体の裏側表面２ｂには、略等間隔に並ぶ４つの略円柱形状の中空部７ａ、７ｂ、７ｃ、７ｄが連通してなる開口部７が設けられており、一の構築エレメント１が他の構築エレメント１に相互連結されると、一の構築エレメント１の結合スタッド５が他の構築エレメント１の開口部７の中空部７ａ、７ｂ、７ｃ、７ｄに係合する構成を有する構築エレメント。【選択図】図１
2016077332.tif 000002
【特許請求の範囲】
【請求項１】
複数の構築エレメントで構成される玩具構築セット用の構築エレメントであって、
前記構築エレメントは、上側表面と、前記上側表面に略平行な裏側表面と、前記上側表面から前記下側表面に延在する複数の側面と、を有する金属製のブロック体で構成され、
前記ブロック体の前記上側表面には、略等間隔に並ぶ複数の略多角柱形状の結合スタッドが上側に配置され、
前記ブロック体の前記裏側表面には、略等間隔に並ぶ４つの略円柱形状の中空部が連通してなる開口部が設けられており、
一の構築エレメントが他の構築エレメントに相互連結されると、前記一の構築エレメントの結合スタッドが他の構築エレメントの開口部の中空部に係合する構成を有していること、
を特徴とする構築エレメント。
【請求項２】
前記構築エレメントが少なくとも４個の結合スタッドを含み、前記結合スタッドは正方パターンで位置付けられていること、
を特徴とする請求項１に記載の構築エレメント。
【請求項３】
前記結合スタッドの上面が平面であって、前記構築エレメントの前記上側表面及び前記下側表面に略平行であること、
を特徴とする請求項１又は２に記載の構築エレメント。
【発明の詳細な説明】
【技術分野】
【０００１】
本発明は、複数の玩具構築エレメントから構成される玩具構築セット用の構築エレメントに関する。
【背景技術】
【０００２】
従来から、子供用の玩具として、ブロックとも呼ばれる構築エレメントが広く普及している。この構築エレメント複数個が組み合わされて玩具構築セットとして販売されている。
【０００３】
このようなブロックとしては、例えば特許文献１（特表平１０−５０６３１０号公報）においては、「上側に一様な相互モジュール間隔の複数の結合ノブを有し、かつ結合ノブと結合される下向きの相補結合手段を備えた本体部を有する複数の積み重ねブロックから成る積み重ねブロック装置」が提案されている。
【０００４】
また、例えば特許文献２（特表２００２−５３４２４０号公報）においては、「複数の玩具構築ブロックから構成される玩具構築セット用の構築ブロック」で「前記複数の構築ブロックは、上側と裏側とを有する該表面と表面の裏側から下向きに延びる複数の側面とを有する箱形部分を含み、複数の結合フランジが側面の間に配置され、前記結合フランジは、該側面が表面から延在する距離より小さな距離だけ表面から下向きに延在し、複数の結合スタッドが該表面の上側に配置され」たものが提案されている。
【０００５】
このような構築セットでは、構築セットのすべての構築エレメントが、構築エレメントの本体部分に固定されモジュール化された高さ、幅及び長さ等の、構築セットを特徴づける固有のモジュール寸法を有していることが重要であり、このことは、構築セットがさまざまなモデルを容易な方式で構築できるようにするために必要である。
【先行技術文献】
【特許文献】
【０００６】
【特許文献１】特表平１０−５０６３１０号公報
【特許文献２】特表２００２−５３４２４０号公報
【発明の概要】
【発明が解決しようとする課題】
【０００７】
ここで、上記の特許文献１及び２においては特に触れられていないが、従来の構築エレメントは主として子供用の玩具として具現化されているものがほとんどであり、したがって安心・安全の観点からプラスチック製のものが主流である。
【０００８】
他方、大人にとっては、誰もが経験するように、子供時代を思い出して構築エレメントを使用してロボットや家等を作製したくなることがあるところ、プラスチック製の構築エレメントは質感に劣り、安っぽく、いかにも子供用の玩具として世間に認知されていることから、若干気が引けることもある。
【０００９】
これに対し、本発明者らは、金属製の構築エレメント（ブロック）を作製することができれば、質感も良く、高級感があり、大人がこれを使用して遊べば、お洒落でカッコいい印象を抱かせるのではないかと考えたのであるが、従来の構築エレメントの構造では金属製のものは作製しにくく、作製したとしてもうまく係合乃至は嵌合しなかったりするという問題に直面した。
【００１０】
そこで、本発明の目的は、質感が良く、高級感があり、大人がこれを使用して遊べば、お洒落でカッコいい印象を抱かせることができ、作製し易くかつ確実に係合乃至は嵌合させて遊ぶことのできる金属製の構築エレメント（ブロック）を提供することにある。
【課題を解決するための手段】
【００１１】
上記のような課題を解決すべく、本発明は、複数の構築エレメントで構成される玩具構築セット用の構築エレメントであって、前記構築エレメントは、上側表面と、前記上側表面に略平行な裏側表面と、前記上側表面から前記下側表面に延在する複数の側面と、を有する金属製のブロック体で構成され、前記ブロック体の前記上側表面には、略等間隔に並ぶ複数の略多角柱形状の結合スタッドが上側に配置され、前記ブロック体の前記裏側表面には、略等間隔に並ぶ４つの略円柱形状の中空部が連通してなる開口部が設けられており、一の構築エレメントが他の構築エレメントに相互連結されると、前記一の構築エレメントの結合スタッドが他の構築エレメントの開口部の中空部に係合する構成を有していること、を特徴とする構築エレメントを提供する。
【００１２】
このような本発明の構築エレメントにおいては、少なくとも４個の結合スタッドを含み、前記結合スタッドは正方パターンで位置付けられていること、が好ましい。
【００１３】
また、上記の本発明の構築エレメントにおいては、前記結合スタッドの上面が平面であって、前記構築エレメントの前記上側表面及び前記下側表面に略平行であること、が好ましい。
【発明の効果】
【００１４】
上記のような構成を有する本発明の構築エレメントによれば、質感も良く、高級感があり、大人がこれを使用して遊べば、お洒落でカッコいい印象を抱かせることができ、作製し易くかつ確実に係合乃至は嵌合させて遊ぶことのできる金属製の構築エレメント（ブロック）を実現することができる。
【図面の簡単な説明】
【００１５】
【図１】本発明の一実施形態に係る構築エレメント１の概略斜視図である。
【図２】図１に示す構築エレメント１の５面図（正面図、右側面図、左側面図、平面図及び底面図）である。
【発明を実施するための形態】
【００１６】
続いて、本発明の一実施形態に係る構築エレメント１について図面を参照しつつ詳細に説明する。ただし、本発明は当該実施形態に限定されるものではなく、また、図面における各部材や部分の形状や寸法は、誇張して表している場合もあり、また、本発明の作用効果を奏するための実際の形状や寸法を必ずしも正確に表していない場合もある。
【００１７】
図１は、本発明の一実施形態に係る構築エレメント１の概略斜視図であり、図２は、図１に示す構築エレメント１の５面図（正面図、右側面図、左側面図、平面図及び底面図）である。これらの図に示すように、本実施形態の構築エレメント１は、金属製のブロック体１ａで構成されている。
【００１８】
構築エレメント１を構成するこの金属製のブロック体１ａは、上側表面２ａと、上側表面２ａに略平行な裏側表面２ｂと、上側表面２ａから下側表面２ｂに延在する複数の側面３ａ、３ｂ、４ａ、４ｂと、を有している。本実施形態のブロック体１ａは略直方体形状である。
【００１９】
ここで、金属製のブロック体１ａを構成する金属材料としては、構築エレメント１の作用効果を奏する形状を実現できる金属材料であれば特に制限されることはなく、種々の金属材料を使用することができる。例えば、アルミニウム、アルミニウム合金、銀、金等が挙げられる。
【００２０】
そして、本実施形態の構築エレメント１においては、ブロック体１ａの上側表面２ａに、略等間隔に並ぶ８個の略正六角柱形状の凸部で構成されている結合スタッド５が上側に配置されており、また、ブロック体１ａの裏側表面２ｂには、略等間隔に並ぶ４つの略円柱形状の中空部７ａ、７ｂ、７ｃ、７ｄが連通してなる開口部７が２個並列して設けられている。
【００２１】
開口部７において、略円柱形状の中空部７ａ、７ｂ、７ｃ、７ｄは、それぞれ深さ方向（図１における矢印Ｘの方向）に略垂直な面方向において、互いに繋がっている。
【００２２】
本実施形態における結合スタッド５は、ブロック体１ａと連続しており、したがってブロック体１ａと同じ材料で構成されている。
【００２３】
そして、凸状の結合スタッド５を鉛直方向（図１における矢印Ｘの方向）からみた場合に、正六角形の６箇所の頂点部分が、開口部７を構成する略円柱形状の中空部７ａ、７ｂ、７ｃ、７ｄの内周面に接触して適度な摩擦により係合乃至は嵌合するように、結合スタッド５は形成されている。
【００２４】
また、本実施形態では、ブロック体１ａの裏側表面２ｂに設けられている開口部７は、その深さＤが、結合スタッド５の高さＨよりも長く、関係式：Ｄ＞Ｈ（但し単位は同じ。）を満たしている。
【００２５】
このような構造を有することにより、金属製であっても、一の構築エレメント１が他の構築エレメント１に相互連結されると、一の構築エレメント１の結合スタッド５が他の構築エレメント１の開口部７の中空部７ａ、７ｂ、７ｃ、７ｄにより確実に係合乃至は嵌合することができる。
【００２６】
以上のような構造を有する本実施形態の構築エレメント１は、種々の方法で作製することができ、金属材料の種類によってその方法を選択すればよい。例えば、切削、鍛造、冷間圧造等の方法を採用することができる。
【００２７】
なお、上記実施形態は本発明の一例に過ぎず、種々の設計変更が可能である。例えば、上記実施形態においては、略正六角柱形状の結合スタッド５が上側に配置されている態様について説明したが、略三角柱形状、略四角柱形状、略五角柱形状、略七角柱形状、略八角柱形状、略九角柱形状、略十角柱形状等の略多角柱形状であってもよい。
【００２８】
また、図２においては、２個の開口部７がそれぞれ独立して並置されているが、２個の開口部７が繋がっていてもよい。その場合、一の構築エレメント１と他の構築エレメント１とを連結させた際に、略円柱形状の中空部７ａ、７ｂ、７ｃ、７ｄの内周面において結合スタッド５と接触する部分が減らないようにするのが好ましい。
【産業上の利用可能性】
【００２９】
本発明に係る構築エレメントは、金属製であるにも関わらず、作製し易くかつ確実に係合乃至は嵌合させて遊べるため、質感も良く、高級感があり、大人がこれを使用して遊べば、お洒落でカッコいい印象を抱かせることができることから、例えば、大人用の玩具、オブジェ、インテリア用品等として好適に用いることができる。
【符号の説明】
【００３０】
１・・・構築エレメント、
１ａ・・・ブロック体、
２ａ・・・上側表面、
２ｂ・・・下側表面、
３ａ、３ｂ、４ａ、４ｂ・・・側面、
５・・・結合スタッド、
７・・・開口部、
７ａ、７ｂ、７ｃ、７ｄ・・・中空部。
【図１】
2016077332.tif 000003
【図２】
2016077332.tif 000004